(57)【要約】【課題】長手方向の全体から光が出射して光が無駄になるのを抑える鏡面台を提供する。【解決手段】台部２と、台部２の上側に配置される鏡面部３と、台部２の上側に配置される導光部６と、光源と、を備え、導光部６は、長手方向に沿う一面が出光部６２となるとともに長手方向の端部が入光部となり、光源より発せられて入光部から入射した光が直進または反射して出光部６２より出射するものである。出光部６２の一部からの光の出射を抑制する出射抑制部７を備える。【選択図】図１
2015204148.tif 000002
【特許請求の範囲】
【請求項１】
台部と、
前記台部の上側に配置される鏡面部と、
前記台部の上側に配置される導光部と、
光源と、を備え、
前記導光部は、長手方向に沿う一面が出光部となるとともに長手方向の端部が入光部となり、前記光源より発せられて前記入光部から入射した光が直進または反射して前記出光部より出射するものであり、
前記出光部の一部からの光の出射を抑制する出射抑制部を備えることを特徴とする鏡面台。
【請求項２】
前記出光部に当接または近接して照明カバーを備え、前記照明カバーが前記出射抑制部を備えることを特徴とする請求項１記載の鏡面台。
【請求項３】
前記照明カバーは、前記導光部に対して移動しない固定カバーと、前記固定カバーに対して移動可能な移動カバーと、を備え、
前記移動カバーが前記出射抑制部を備えることを特徴とする請求項２記載の鏡面台。
【請求項４】
前記導光部は、上下方向を長手方向とすることを特徴とする請求項１乃至３のいずれか一項に記載の鏡面台。
【発明の詳細な説明】
【技術分野】
【０００１】
本発明は、鏡面台に関する。
【背景技術】
【０００２】
特許文献１に、従来の鏡面台が開示されている。この特許文献１記載の鏡面台は、台部と、台部の上側に配置される鏡面部と、台部の上側に配置される照明部とを備えている。照明部は、長手方向に沿う一面が出光部となっている。
【先行技術文献】
【特許文献】
【０００３】
【特許文献１】特開２００７−９８０３５号公報
【発明の概要】
【発明が解決しようとする課題】
【０００４】
ところで、この上記従来の鏡面台は、長手方向の全体から光が出射するため、光が無駄となり易いものであった。
【０００５】
本発明は、上記事情に鑑みてなされたものであり、その目的とするところは、長手方向の全体から光が出射して光が無駄になるのを抑える鏡面台を提供することにある。
【課題を解決するための手段】
【０００６】
本発明の鏡面台は、台部と、前記台部の上側に配置される鏡面部と、前記台部の上側に配置される導光部と、光源と、を備え、前記導光部は、長手方向に沿う一面が出光部となるとともに長手方向の端部が入光部となり、前記光源より発せられて前記入光部から入射した光が直進または反射して前記出光部より出射するものであり、前記出光部の一部からの光の出射を抑制する出射抑制部を備えることを特徴とする。
【０００７】
また、前記出光部に当接または近接して照明カバーを備え、前記照明カバーが前記出射抑制部を備えることが好ましい。
【０００８】
また、前記照明カバーは、前記導光部に対して移動しない固定カバーと、前記固定カバーに対して移動可能な移動カバーと、を備え、前記移動カバーが前記出射抑制部を備えることが好ましい。
【０００９】
また、前記導光部は、上下方向を長手方向とすることが好ましい。
【発明の効果】
【００１０】
本発明の鏡面台によれば、出射抑制部により、出光部の一部からの光の出射が抑制され、出光部のその他の箇所から出射される光量が増加する。これにより、長手方向の全体から光が出射して光が無駄になるのを抑えることができる。
【図面の簡単な説明】
【００１１】
【図１】第一実施形態の鏡面台の正面図である。
【図２】第一実施形態の鏡面台のキャビネット（扉、鏡面部を含む）を中心とした部分の斜視図である。
【図３】第一実施形態の鏡面台のキャビネット（扉、鏡面部を除く）を中心とした部分の斜視図である。
【図４】図４Ａは第一実施形態の鏡面台の断面図であり、図４Ｂは図４Ａの要部拡大図である。
【図５】図５Ａは第一実施形態の照明装置の組み立てた状態の斜視図であり、図５Ｂは第一実施形態の照明装置の要部分解斜視図である。
【図６】図６Ａは第一実施形態の照明装置および固定カバーの側面図であり、図６Ｂは第一実施形態の照明装置、固定カバー、上側に位置する移動カバーの側面図であり、図６Ｃは第一実施形態の照明装置、固定カバー、下側に位置する移動カバーの側面図である。
【図７】図７Ａは第一実施形態の鏡面台の標準的な使い方の場合の光の出射を説明する側面図であり、図７Ｂは第一実施形態の鏡面台の前部の上部からの出射を抑制する場合の光の出射を説明する側面図であり、図７Ｃは第一実施形態の鏡面台の前部の下部からの出射を抑制する場合の光の出射を説明する側面図である。
【発明を実施するための形態】
【００１２】
以下、本発明の第一実施形態について添付図面に基づいて説明する。
【００１３】
本発明の鏡面台１は、図１に示すように、台部２と、台部の上側に配置される鏡面部３と、照明装置と、を備えるものである。
【００１４】
なお、第一実施形態における方向の定義は、使用状態における手前方向が前方向、奥方が後方向、左右方向は後方を向いたときの左右方向として定義される。
【００１５】
台部２は、第一実施形態では、ボウル（不図示）を有するカウンター２２を備えた洗面台であるが、ボウルを有しないカウンター２２を備えた化粧台であってもよい。第一実施形態では、台部２は、下部キャビネット２１と、カウンター２２と、バックガード２３とを備えている。ボウルは、水栓の吐出口２４から吐出された湯水を受ける部分であり、例えば、上方に開口した椀状に形成されている。カウンター２２は、下部キャビネット２１の上端に載設されている。バックガード２３は、カウンター２２の後端部（ボウルの後方）から上方に向かって突設されている。
【００１６】
台部２の上側に鏡面部３が配置される。第一実施形態では、台部２の上側にキャビネット４が配置され、このキャビネット４に鏡面部３が設けられる。
【００１７】
キャビネット４は、バックガード２３の上端に載設される。キャビネット４は、例えば、その後面が部屋の壁面に沿った状態で複数並設される。キャビネット４は、図２に示すように、キャビネット本体４１と、扉４９と、照明装置とを備えている。
【００１８】
扉４９は、キャビネット本体４１の前方に開閉自在に取り付けられる。扉４９には、全面に亙って鏡面部３が取り付けられており、これにより、扉４９は鏡付き扉を構成する。なお、第一実施形態では、鏡面部３は扉４９の全面に亙って設けられているが、扉４９の全面ではなく一部に設けられてもよい。
【００１９】
キャビネット本体４１は、図３に示すように、天板４２、底板４３、側板４４、奥板４５を備え、前方に向かって開口している。キャビネット本体４１は、内部に収納空間４０を有している。この収納空間４０は、天板４２、底板４３、側板４４に囲まれた空間である。キャビネット本体４１は、木質板により構成されている。収納空間４０は、例えば、仕切り板４６によって仕切られて使用される。ユーザーは、仕切り板４６を対向する側板４４間の所望の高さ位置で架設し、これにより、収納空間４０を上下に仕切ることができる。なお、第一実施形態では、鏡面部３は、収納空間４０の前方への開口を開閉可能に閉塞する扉４９に設けられているが、扉４９でなく、収納空間４０の前側に位置して開閉しない前壁に設けられてもよい。また、鏡面部３は、収納空間を備えていない板部に設けられてもよい。また、鏡面部３または鏡面部３が設けられる扉４９を有するキャビネット本体４１と、台部２とは、バックガード２３を介して連結されているが、バックガード２３ではなく別の部材により連結されてもよい。
【００２０】
天板４２は、前後方向に幅を有し、左右方向に長さを有している。天板４２は、キャビネット本体４１の上端面を構成する。底板４３は、前後方向に幅を有し、左右方向に長さを有している。底板４３は、キャビネット本体４１の下端面を構成する。側板４４は、前後方向に幅を有し、上下方向に長さを有している。側板４４は、一対設けられており、左右方向に離れた状態で対向配置されている。
【００２１】
また、図１に示すように、側板４４の後端部には、上下方向に連続した溝部４７が設けられている。溝部４７は、側板４４の後端面からやや前方に位置する箇所に設けられている。溝部４７は、左右方向に対向する両側板４４に設けられており、互いに平行に形成されている。溝部４７は、互いに向き合うように設けられている。溝部４７は、内側および上方に向かって開口している。この溝部４７には、奥板４５が上方から差し込まれる。奥板４５は、上下方向に長さを有し、左右方向に幅を有し、正面視矩形状に形成されている。奥板４５は、キャビネット４の内部の奥面を構成する。
【００２２】
キャビネット４は、図４に示すように、側板４４の前端面が、他の部分の前端面よりも後方に位置しており、これにより、収容部４８が形成される。この収容部４８には、照明装置が収納配置される。
【００２３】
照明装置は、図５に示すように、台部の上側に配置される導光部６と、光源５とを備えるものである。
【００２４】
光源５は、図２、図５に示すように、光源部５０に設けられる。光源部５０は、光源５と、回路基板５１と、放熱板５２と、放熱板カバー５５とを備えている。光源部５０は、導光部６に固定されている。
【００２５】
光源５は、導光部６の長手方向の端部の入光部に向かって発光するように配設される。光源５は、例えば、発光ダイオード（ＬＥＤ（Light  Emitting  Diode））により構成された点光源である。光源５は、回路基板５１の下面に実装されている。なお、光源５は、回路基板５１に一つだけ設けられているが、複数設けられていてもよい。また光源５は、第一実施形態では発光ダイオードであるが、特に発光ダイオードに限定されない。
【００２６】
回路基板５１には、図５に示すように、放熱板５２が取り付けられている。放熱板５２は、回路基板５１の上面に接触状態で取り付けられる。放熱板５２は、例えば、アルミニウム等の金属により構成されている。放熱板５２は、平面視矩形状の放熱部５３と、この放熱部５３の前端部の一部から前方に向かって突出した突出部５４とを備えている。突出部５４は、後述のホルダー９７（図４参照）に固着具を介して固定されており、回路基板５１に熱的に接続される。これにより、光源５が発光することで発生した熱は、回路基板５１を介して突出部５４に伝導し、その後、放熱部５３に伝導する。そして、放熱部５３は外気と熱交換を行う。これにより、光源５から発生した熱は、放熱板５２を介して放熱される。
【００２７】
また、図５に示すように、この放熱板５２には、放熱板カバー５５が取り付けられる。この放熱板カバー５５は、下方に開口する箱形状に形成されている。放熱板カバー５５の内部には、放熱板５２が嵌め込まれる。これにより、放熱板カバー５５は、放熱板５２の上方および側方を覆う。また、放熱板カバー５５の下端は、放熱板５２の下面よりも下方に位置するように構成されている。これにより、放熱板５２に放熱板カバー５５が取り付けられた状態で、放熱板カバー５５は、設置面（つまり、キャビネット４の天板４２の上面）と放熱板５２の下面との間に隙間を形成する。
【００２８】
導光部６は、図４に示すように、長手方向に沿う一面が出光部６２となり、長手方向の端部が入光部となるものである。第一実施形態では、導光部６は導光部材６０を備えている。導光部材６０には、照明カバー８と、取付ベース９１と、ホルダー９７が設けられる。第一実施形態では、導光部６の長手方向は上下方向を向くように設置されるが、左右方向や、上下または左右に対して傾斜していてもよく、特に限定されない。第一実施形態では、導光部６の上端部が入光部となるが、特に限定されない。
【００２９】
導光部材６０は、上下方向に長さを有し、棒状に形成されている。導光部材６０には、図４に示すように、後方突出部６１が設けられている。導光部材６０は、後方突出部６１が保持溝部９８に保持されることで、ホルダー９７に固定される。導光部材６０は、例えば、アクリル樹脂やポリカーボネート樹脂等の透明な樹脂を用いて形成されており、透光性を有している。
【００３０】
導光部材６０の端部の入光部から入射した光は、直進したり、導光部材６０の長手方向に沿う面（出光部６２も含む）で反射して、導光部材６０の出光部６２より出射するものである。第一実施形態では、導光部６は、長手方向に沿う面のうち出光部６２以外の部分（特に、出光部６２と対向する部分）に、光を拡散させる拡散部６３が設けられる。拡散部６３は、例えば、導光部材６０の後面に印刷や蒸着によって反射性の物質を設けたり、微細な凹凸を設けたり、二色成形によって反射部分を設けたりすることによって形成される。なお、拡散部６３は、後方突出部６１に設けられてもよい。
【００３１】
取付ベース９１は、図５に示すように、上下方向に長さを有し、左右方向に幅を有し、前後方向に奥行きを有している。取付ベース９１は、図４に示すように、後片９２と、この後片９２の左右方向の両端から前方に向かって延出した側片９３とを備え、断面略Ｕ字状に形成されている。取付ベース９１の後片９２には、側板４４に固定するための固定部９４が設けられている。固定部９４は、例えば、固着具挿通孔により構成される。なお、この固定部９４は、側片９３に設けられてもよい。
【００３２】
図４に示すように、側片９３には、係止部９５が設けられている。係止部９５は、ホルダー９７を前後方向に着脱自在に係止する。係止部９５は、互いに向き合う方向（中央側）に向かって突出した突起９６により構成されている。
【００３３】
図４に示すように、ホルダー９７には、導光部材６０が固定される。ホルダー９７は、取付ベース９１の側片９３間に嵌め込まれて固定される。ホルダー９７は、上下方向に長さを有している、ホルダー９７の長さは、取付ベース９１の長さと同じ大きさである。ホルダー９７には、前方に開口する保持溝部９８が長さ方向の全長に亘って設けられている。ホルダー９７の後端部には、係止部９５に着脱自在に係合する被係止部９９が設けられている。また、ホルダー９７の前端部には、照明カバー８を保持するための保持部９９０が設けられている。
【００３４】
照明カバー８は、ホルダー９７の保持部９９０に着脱自在に取り付けられる。照明カバー８は、上下方向に長さを有している。第一実施形態では、図６に示すように、照明カバー８は、導光部６（導光部材６０）に対して移動しない固定カバー８１と、固定カバー８１に対して移動可能な移動カバー８２と、を備えている。
【００３５】
固定カバー８１は、断面略Ｃ字状に形成されているが、形状は特に限定されない。固定カバー８１の長さは、ホルダー９７や導光部材６０の長さと略同じ大きさに形成され、出光部６２に当接または近接して配置される。
【００３６】
移動カバー８２は、固定カバー８１の外側に被せられ、固定カバー８１に対して移動可能なるもので、断面略Ｃ字状に形成されているが、形状は特に限定されない。移動カバー８２は、固定カバー８１に対して抜止めがなされた状態で移動可能となるもので、抜止め方法は限定されない。
【００３７】
照明カバー８（固定カバー８１および移動カバー８２）は、導光部材６０の前面の出光部６２を覆う。照明カバー８は透光性を有しており、導光部材６０から出射する光を透過可能となっている。第一実施形態では、固定カバー８１の長さは、ホルダー９７や導光部材６０の長さと略同じ大きさに形成されているが、ホルダー９７や導光部材６０より短くてもよい。
【００３８】
なお、第一実施形態では、導光部６には、照明カバー８と、取付ベース９１と、ホルダー９７が設けられているが、これらは任意の構成である。
【００３９】
上述した導光部６は、図４に示すように、収容部４８に収納配置される。また、導光部６が収容部４８に収納配置されると、導光部６の前面は、天板４２および底板４３の前端面に面一となるように構成されている。
【００４０】
なお、ここで言う「面一」とは、厳密な面一だけでなく、実用上面一とみなせる範囲をも含み、誤差が含まれても構わない。
【００４１】
導光部材６０の上端面は、ホルダー９７から露出している。導光部材６０の上端面は、光源５に対向配置される。これにより、光源５から発せられた光は、入光部より導光部材６０内に入射するようになっている。
【００４２】
光源５から光が発せられると、その光は、導光部材６０の入光部より導光部材６０内に入射する。入光部から導光部材６０内に入射した光は、導光部材６０内を下方に向かって反射しながら進行し、拡散部６３で拡散する。拡散部６３で拡散した光は、出光部６２より出射し、照明カバー８を介して、前方に向かって進む。これにより、照明装置は、鏡面部３の間の隙間から、キャビネット４の上下方向の全長に亙った線状の光を照射するように構成されている。また、第一実施形態においては、導光部材６０内を下方に向かって進行する光の一部は、導光部材６０の下端面より下方に出射し、台部２上を照射する。
【００４３】
このような鏡面台１においては、図７Ａに示すように、導光部６の出光部６２の広い部分（例えば全体）から前方に照射させるのが標準的な使い方である。なお、図７中のＵＲはユーザーである。
【００４４】
しかしながら、図７Ｂに示すように、例えばユーザーＵＲがこども等の低身長者の場合、導光部６の出光部６２の上部から前方に照射させる光は無駄になり易い。また、図７Ｃに示すように、例えばユーザーＵＲが高身長者の場合、導光部６の出光部６２の下部から前方に照射させる光は無駄になり易い。
【００４５】
そこで、出光部６２の一部からの光の出射を抑制する出射抑制部７を備えるものである。出射抑制部７は、出光部６２から出射する光を抑え、その一部または全部を反射させるものである。このような出射抑制部７を備えることにより、出光部６２の一部からの光の出射が抑制され、出光部６２のその他の箇所から出射される光量が増加する。
【００４６】
出射抑制部７は、移動カバー８２の一部に、シボ加工等の曇り処理が施されたり、あるいは、蒸着等により反射部が形成されることにより、設けられる。移動カバー８２に出射抑制部７が設けられることで、出射抑制部７が設けられた箇所は、出射抑制部７が設けられない場合と比べて、光の出射を抑制し、出射抑制部７で導光部６内に反射される光量が増加する。
【００４７】
第一実施形態では、図７Ｂに示すように、低身長者のユーザーＵＲの場合、図６Ｂに示すように、移動カバーを上部に移動させて、出光部６２の下部から前方に照射させる光量を増加させるとよい。また、図７Ｃに示すように、高身長者のユーザーＵＲの場合、図６Ｃに示すように、移動カバーを下部に移動させて、出光部６２の上部から前方に照射させる光量を増加させるとよい。このようにすることで、光を照射する必要性が低い部分に照射される光が、光を照射する必要性が高い部分に振り向けられて、この部分に照射される光量が増加し、ユーザーＵＲが効率よく明るく使用することができる。
【００４８】
なお、第一実施形態では、出射抑制部７が移動カバー８２に設けられているが、固定カバー８１のみを備えた照明カバー８の固定カバー８１に設けられてもよい。また、出射抑制部７が導光部６に直接設けられてもよい。
【符号の説明】
【００４９】
１    鏡面台
２    台部
２１  下部キャビネット
２２  カウンター
２３  バックガード
２４  吐出口
３    鏡面部
４    キャビネット
４０  収納空間
４１  キャビネット本体
４２  天板
４３  底板
４４  側板
４５  奥板
４６  仕切り板
４７  溝部
４８  収容部
４９  扉
５    光源
５０  光源部
５１  回路基板
５２  放熱板
５３  放熱部
５４  突出部
５５  放熱板カバー
６    導光部
６０  導光部材
６１  後方突出部
６２  出光部
６３  拡散部
７    出射抑制部
８    照明カバー
８１  固定カバー
８２  移動カバー
９１  取付ベース
９２  後片
９３  側片
９４  固定部
９５  係止部
９６  突起
９７  ホルダー
９８  保持溝部
９９０  保持部
９９  被係止部
ＵＲ  ユーザー
【図１】
2015204148.tif 000003
【図２】
2015204148.tif 000004
【図３】
2015204148.tif 000005
【図４】
2015204148.tif 000006
【図５】
2015204148.tif 000007
【図６】
2015204148.tif 000008
【図７】
2015204148.tif 000009